(57)【要約】【課題】衛生洗浄装置が便器のボウルに被る部分を減らしつつ、排水口からの小水などの侵入を防止した衛生洗浄装置及びこれを備えたトイレ装置を提供する。【解決手段】吐水ノズルを内蔵し、腰掛便器の上部に設置される本体部４００を備え、前記本体部は、前記腰掛便器のボウル８１０に面して開閉可能に設けられた蓋４６０と、前記蓋の下方に露出し、前記本体部の内部で発生した排水を前記ボウルに排出する排出口７７２Ｃと、前記排出口の後方に設けられ前記排出口から前記本体部の内部への水の侵入を抑制する防止壁７７３Ａ、７７４、７７５、７７６と、を有することを特徴とする衛生洗浄装置１００を提供する。【選択図】  図３
2007315110.tif 000002
【特許請求の範囲】
【請求項１】
吐水ノズルを内蔵し、腰掛便器の上部に設置される本体部を備え、
前記本体部は、
前記腰掛便器のボウルに面して開閉可能に設けられた蓋と、
前記蓋の下方に露出し、前記本体部の内部で発生した排水を前記ボウルに排出する排出口と、
前記排出口の後方に設けられ前記排出口から前記本体部の内部への水の侵入を抑制する防止壁と、
を有することを特徴とする衛生洗浄装置。
【請求項２】
前記本体部は、前記吐水ノズルに水を噴射して洗浄するノズル洗浄室をさらに有し、
前記ノズル洗浄室は、前記吐水ノズルの上方及び左右を覆い下方に開口を有する構造体であり、
前記ノズル洗浄室の下方の前記開口は、前記防止壁により区画されていることを特徴とする請求項１記載の衛生洗浄装置。
【請求項３】
前記本体部は、筐体を構成するケースカバーとケースプレートとを有し、
前記防止壁は、前記ケースプレートに形成された壁状体であることを特徴とする請求項１記載の衛生洗浄装置。
【請求項４】
前記本体部は、前記吐水ノズルに水を噴射して洗浄するノズル洗浄室をさらに有し、
前記防止壁は、前記ノズル洗浄室の下方または後方に設けられたことを特徴とする請求項３記載の衛生洗浄装置。
【請求項５】
前記ノズル洗浄室は、前記吐水ノズルの上方及び左右を覆い下方に開口を有する構造体であり、
前記ノズル洗浄室の下方の前記開口を区画する第２の防止壁がさらに設けられ、
前記壁状体の防止壁と、前記第２の防止壁と、は、前記蓋が閉じた状態で前記排出口の側から眺めた時に重なっており前記壁状体の防止壁の後方が見えないことを特徴とする請求項４記載の衛生洗浄装置。
【請求項６】
前記本体部は、前記吐水ノズルに水を噴射して洗浄するノズル洗浄室をさらに有し、
前記防止壁は、前記ノズル洗浄室の前方に設けられたことを特徴とする請求項３記載の衛生洗浄装置。
【請求項７】
前記防止壁は、前記ノズル洗浄室から排出される排水の水流を収束させることを特徴とする請求項６記載の衛生洗浄装置。
【請求項８】
前記本体部は、前記吐水ノズルに水を噴射して洗浄するノズル洗浄室をさらに有し、
前記防止壁は、前記ノズル洗浄室の両側にそれぞれ設けられたことを特徴とする請求項３記載の衛生洗浄装置。
【請求項９】
前記蓋は、前記吐水ノズルが前記ボウルに向けて進出する出入口を開閉することを特徴とする請求項１〜８のいずれか１つに記載の衛生洗浄装置。
【請求項１０】
前記本体部の前面は、前記腰掛便器のボウルの開口端に沿って凹ませた湾曲凹面を有することを特徴とする請求項１〜９のいずれか１つに記載の衛生洗浄装置。
【請求項１１】
腰掛便器と、
前記腰掛便器の上部に設置される請求項１〜１０のいずれか１つに記載の衛生洗浄装置と、
を備えたことを特徴とするトイレ装置。
【発明の詳細な説明】
【技術分野】
【０００１】
本発明は、衛生洗浄装置及びトイレ装置に関し、より具体的には、洋式腰掛便器に腰かけた使用者の「おしり」などを水で洗浄する衛生洗浄装置及びこれを備えたトイレ装置に関する。
【背景技術】
【０００２】
衛生洗浄装置は、洗浄水を噴射する吐水ノズルをその内部に進退自在に収容し、腰掛便器の上面後部に設置して使用する形態のものが主流となっている。そして、このような衛生洗浄装置の清掃性の向上などを目的として、その小型化が検討されている。すなわち、衛生洗浄装置の前面を後退させれば、腰掛便器のボウルに被る部分を減らすことができ、ボウルに被った衛生洗浄装置の裏面の汚れ落としの手間などが省ける。このためには、例えば、衛生洗浄装置の前面を後退させ、便器のボウルの開口端と一致するように湾曲状に形成することも考えられる（特許文献１）。
【特許文献１】特開２００３−３３９５７８号公報
【発明の開示】
【発明が解決しようとする課題】
【０００３】
吐水ノズルを清潔に保つためには、その使用の前後に、衛生洗浄装置の機内で吐水ノズルを洗浄するとよい。この際に、排水が生じ、この排水は、便器のボウル内に排出する必要がある。つまり、ボウルに排水を排出するための排水口を衛生洗浄装置に設ける必要がある。しかし、衛生洗浄装置の前面をボウルの開口端に沿って後退させると、排水口を完全に隠すことは困難となり、例えば男性の立位の小用の際に小水が機内に侵入することもあり得る。
【０００４】
本発明は、かかる課題の認識に基づいてなされたものであり、衛生洗浄装置が便器のボウルに被る部分を減らしつつ、排水口からの小水などの侵入を防止した衛生洗浄装置及びこれを備えたトイレ装置を提供するものである。
【課題を解決するための手段】
【０００５】
本発明の一態様によれば、
吐水ノズルを内蔵し、腰掛便器の上部に設置される本体部を備え、
前記本体部は、
前記腰掛便器のボウルに面して開閉可能に設けられた蓋と、
前記蓋の下方に露出し、前記本体部の内部で発生した排水を前記ボウルに排出する排出口と、
前記排出口の後方に設けられ前記排出口から前記本体部の内部への水の侵入を抑制する防止壁と、
を有することを特徴とする衛生洗浄装置が提供される。
【０００６】
また、本発明の他の一態様によれば、
腰掛便器と、
前記腰掛便器の上部に設置される上記の衛生洗浄装置と、
を備えたことを特徴とするトイレ装置が提供される。
【発明の効果】
【０００７】
本発明によれば、衛生洗浄装置が便器のボウルに被る部分を減らしつつ、排水口からの小水などの侵入を防止した衛生洗浄装置及びこれを備えたトイレ装置を提供することができる。
【発明を実施するための最良の形態】
【０００８】
以下、図面を参照しつつ本発明の実施の形態について説明する。  
図１は、本発明の実施の形態にかかるトイレ装置の外観を表す模式斜視図である。  
また、図２は、このトイレ装置の便座２００と便蓋３００を開いた状態を表す。
【０００９】
本実施形態のトイレ装置は、洋式腰掛便器８００と、その上に設けられた衛生洗浄装置１００と、を備える。衛生洗浄装置１００は、本体部４００と、便座２００と、便蓋３００と、を有する。便座２００と便蓋３００は、本体部４００に対して開閉自在にそれぞれ軸支されている。
【００１０】
本体部４００には、衛生洗浄を実現するための衛生洗浄機能部が内蔵されている。すなわち、着座センサ４２０により使用者が便座２００に座ったことを検知し、使用者のスイッチ操作などに応じて本体部４００から吐水ノズル（図示せず）を便器８００のボウル内に進出させ、その先端付近に設けられた吐水口から水を噴射して、便座に座った使用者の「おしり」などを洗浄可能とされている。なお、本願明細書において「水」という場合には、冷水のみならず、加熱されたお湯も含むものとする。
【００１１】
また、本体部４００には、「脱臭ユニット」や「温風乾燥ユニット」、「室内暖房ユニット」などの各種の機構が適宜設けられ、その側面には、脱臭ユニットからの排気口４４０及び室内暖房ユニットからの排出口４５０が適宜設けられている。また、使用者の接近を検知して便蓋３００を自動的に開き、使用者がいなくなると便蓋３００を自動的に閉じる「オート開閉機能」を設けることもできる。またさらに、便器８００に洗浄水を流す「自動水洗機能」を、衛生洗浄装置１００に付加してもよい。これは、ロータンクやフラッシュバルブの排水機構を動作させる駆動機構を設け、この駆動機構を動作させる信号を本体部４００から出力して、便器８００に自動的に洗浄水を流す機能である。
【００１２】
これらの機能は、本体部４００に設けられた操作部（図示せず）を適宜操作することにより実行・設定でき、また、トイレの壁面などに設置されたリモコン（図示せず）を操作することにより実行させることも可能である。また、本体部４００の上面に凹設部４１０が形成され、この凹設部４１０に一部が埋め込まれるように人体検知センサ５００が設けられている。人体検知センサ５００は、便蓋３００が閉じた状態においては、その基部付近に設けられた透過窓３１０を介して使用者の存在を検知する。
【００１３】
そして、本実施形態においては、図２に表したように、本体部４００が、便器８００のボウル８１０の開口端に合わせて後退した形状を有する。すなわち、本体部４００は、便器８００の上部後方に設置され、その前面が、便器８００のボウル８１０の開口端の形状に沿ってボウル８１０の開口端よりもボウル８１０の側にわずかに突出するように凹状に湾曲した湾曲凹面４０２とされている。なおここで、「後方」とは、図１に表したように、通常はロータンクやフラッシュバルブなどが設置される側であり、通常の使用態様において使用者からみて遠い側を意味する。
【００１４】
湾曲凹面４０２の左右には、ボウル８１０の開口端に沿って前方に向けて延出した延出部４０４が設けられている。湾曲凹面４０２は、その中央付近が高く、左右の延出部４０４に近づくにしたがって次第に低くなる形状を有する。
【００１５】
湾曲凹面４０２の中央付近の高い部分には、吐水ノズルを進出及び後退させる開口部及びその開口部を覆う閉止部材としてのノズルダンパー（蓋）４６０が設けられ、その右側には、温風吹出口及び温風吹出口を覆う閉止部材として温風ダンパー４７０が設けられている。これらは、いずれも開閉自在に支持され、待機状態においては、いずれも閉じられた状態とされる。そして、便座２００に座った使用者の「おしり」などを洗浄するために吐水ノズルが進出すると、ノズルダンパー４６０が開く。また、温風乾燥ユニット６２０から使用者の「おしり」などに向けて温風を吹き付ける際には、温風ダンパー４７０が開く。
【００１６】
そして、本実施形態によれば、本体部４００の中に防止壁を設けることにより、小水などが排水部から機内へ侵入することを効果的に防止できる。  
図３は、本具体例の衛生洗浄装置の本体部４００の断面構造を表す一部拡大断面図である。すなわち、図３は、ノズルダンパー４６０の部分で本体部４００を縦に切断した断面図である。  
本体部４００は、図３に表したように、筐体を構成するケースカバー４３０とケースプレート７７０とを有する。そして、ケースプレート７７０上におけるノズルダンパー４６０の背後にはノズルユニット６１０が収容されている。このノズルユニット６１０は、ボウル８１０に向けて進出・後退する。そして、吐水ノズルを清潔な状態に維持するため、これら進出・後退動作の際などにノズル洗浄室６１７で吐水ノズルに水を噴射して、その胴体を洗浄する。この際に生じた排水は、排水部７７１からボウル８１０に排出される。そして、本実施形態においては、ケースプレート７７０とノズル洗浄室６１７にそれぞれ防止壁が設けられている。
【００１７】
図４は、ケースプレート７７０の防止壁（収束部）７７３Ａ、防止壁７７５とノズル洗浄室に設けられた防止壁７７６を例示する模式斜視図である。  
図５は、ケースプレート７７０の防止壁（収束部）７７３Ａ、防止壁７７４とノズル洗浄室に設けられた防止壁７７６を例示する模式正面図である。  
図６は、防止壁（収束部）７７３Ａ、防止壁７７４と吐水ノズルとの関係を例示する模式斜視図である。  図７は、ケースプレート７７０に設けられた防止壁（収束部）７７３Ａ、防止壁７７４、７７５を表す模式斜視図である。  
図８は、ケースプレート７７０に設けられた防止壁（収束部）７７３Ａ、防止壁７７４、７７５をさらに拡大して上方から眺めた模式平面図である。ここで、図３は、図８のＡ−Ａ線断面  図に相当する。
【００１８】
ノズル洗浄室６１７の下方には、排水をボウル８１０に排出するための排水部７７１が設けられている。排水部７７１は、ボウル８１０に向けて下方に傾斜した排水流路７７２と、排水流路７７２に設けられ排水流路を流れる水流を収束させる集水部７７３とからなる集水構造を有する。
【００１９】
そして、本実施形態においては、図５乃至図７に表したように、ノズル洗浄室６１７の手前（前方）に、一対の壁状の防止壁（収束部）７７３Ａが立設されている。後に詳述するように、これら防止壁（収束部）７７３Ａは、排水の水流を収束させる役割を有するが、同時に、外部から侵入する小水などを遮蔽する役割も有する。  
またさらに、これら一対の収束部７７３Ａから後方に向けて連続的に延在し、ノズル洗浄室６１７を両側から挟むように、防止壁７７４がケースプレート７７０に立設されている。
【００２０】
また一方、図３乃至図５に表したように、ノズル洗浄室６１７の下方に、吐水ノズルの進出方向に対して略平行に防止壁７７６が付設されている。すなわち、ノズル洗浄室は、吐水ノズルの上方及び左右を覆い下方に開口を有する構造体であり、その開口は、防止壁７７６により区画されている。なお、防止壁７７６は、ノズル洗浄室６１７と一体的に形成されてもよく、ノズル洗浄室６１７とは別体として形成されてもよい。  
またさらに、図３乃至図８に表したように、ノズル洗浄室６１７の下方または後方のケースプレート７７０の上には、防止壁７７５が立設されている。
【００２１】
本実施形態によれば、これら防止壁（収束部）７７３Ａ、防止壁７７４、７７５、７７６を設けることにより、仮に排水部７７１に小水が侵入した場合でも、これを遮蔽して機内奥方への侵入を防止できる。  
図９は、本体部４００を正面から眺めた模式図である。  
本実施形態の衛生洗浄装置は、ノズルダンパー４６０が開いた状態においては、図５の中央付近に表した吐水ノズルの先端部がボウル８１０に露出する。一方、ノズルダンパー４６０が閉じた状態においては、吐水ノズルは隠蔽されるが、図９に表したように、排水部７７１の下部は、ボウル８１０に露出している。これは、ノズルダンパー４６０を閉じた状態においてノズル洗浄室６１７で吐水ノズルを洗浄した際に生ずる排水などをボウル８１０に排出するためである。
【００２２】
なお、図９に表したようにノズルダンパー４６０の下に突出しているケースプレート７７０の前面７９２Ａは、男性や子供の立位での小用の際に見えてしまうと小用の的にされてしまい、小水が排水部７７１に侵入する可能性が高くなる。そこで、図３及び図４などに表したように、ケースプレート７７０の前面７９２Ａを、水平方向に対して４７度程度、後方側に傾斜させることで、前面７９２Ａ及び排水部７７１を立位の人の目線では視認不可能にしている。すなわち、図９の正面図では排水部７７１は見えているが、立位の大人及び子供からは排水部７７１は見えないように配置されている。なお、ノズルダンパー４６０が開くのは、原則として着座センサ４２０が便座に座っている使用者を検知している時だけであるので、通常の使用態様においては、男性の立位の小用の際にノズルダンパー４６０が開くことはない。
【００２３】
しかし、このようにした場合でも、ノズルダンパー４６０が閉じた状態でボウル８１０に露出した排水部７７１の下方から小水などが侵入する可能性はゼロではない。これに対して、本実施形態によれば、防止壁（収束部）７７３Ａ、防止壁７７４、７７５、７７６を設けることにより、仮に排水部７７１に小水が侵入した場合でも、これを遮蔽して機内への侵入を防止できる。  
すなわち、まず、図３や図５などから分かるように、ノズル洗浄室６１７の手前（前方）に立設された一対の壁状の防止壁（収束部）７７３Ａにより、外部から侵入する小水などを遮蔽することができる。防止壁（収束部）７７３Ａにより遮蔽された小水などは、中空部７７３Ｃを流下し、排水流路７７２を流れてその流路端（排出口）７７２Ｃからボウル８１０に排出される。
【００２４】
また仮に、外部から侵入した小水などが、防止壁（収束部）７７３Ａの端面などに当たって後方に跳ねたとしても、防止壁７７４あるいはノズル洗浄室６１７の外壁がこれを遮蔽し、排水部７７１に滴下させてボウル８１０に排出させることができる。
【００２５】
また一方、図３や図５などから分かるように、外部からの小水などがノズル洗浄室６１７に侵入した場合には、その下方に設けられた防止壁７７６により遮蔽される。防止壁７７６により遮蔽された小水などは、排水部７７１に滴下し、排水流路７７２を流れてその流路端（排出口）７７２Ｃからボウル８１０に排出される。
【００２６】
またさらに、小水などがノズル洗浄室６１７の下側を通過した場合には、その後方に設けられている防止壁７７５により遮蔽される。防止壁７７５により遮蔽された小水などは、やはり排水部７７１に流入し、排水流路７７２を流れてその流路端（排出口）７７２Ｃからボウル８１０に排出される。
【００２７】
図３乃至図５などから分かるように、ノズル洗浄室６１７の下に設けられた防止壁７７６とその後方に設けられた防止壁７７５とは、正面の方向からみて互いに重なっている。したがって、ノズルダンパー４６０を閉じた状態において、その下方に開口している排水部７７１に小水がどのような角度で侵入しても、これら防止壁７７６、７７５をいずれもすり抜けて機内に侵入することはない。つまり、防止壁７７５と防止壁７７６とが協働して機内の後方への小水などの侵入を防止している。
【００２８】
以上説明したように、本実施形態においては、防止壁（収束部）７７３Ａ、防止壁７７４、７７５、７７６を設けることにより、仮に排水部７７１に小水などが侵入した場合でも、これを確実に遮蔽して機内への侵入を防止できる。  
またさらに、防止壁７７４、７７５、７７６を設けることにより、ノズル洗浄室６１７において吐水ノズルの洗浄を行う際にも、ノズル洗浄室６１７から飛散した水の機内への飛散を防止できる。
【００２９】
以下、本実施形態の衛生洗浄装置について、さらに詳細に説明する。  
まず、本実施形態の衛生洗浄装置のノズルユニット６１０の動作について説明する。  
図１０は、ノズルユニット６１０の動作を例示する模式図である。
【００３０】
本具体例のノズルユニット６１０は３段式の構造を有する。すなわち、ノズル基部６１１の上に第３のシリンダ部６１２が固定され、その内側に第２のシリンダ部６１３が進退自在に支持され、第２のシリンダ部６１３の内側に第１のシリンダ部６１４が進退自在に支持され、第１のシリンダ部６１４の内側に噴射孔６１６を有するノズルヘッド６１５が進退自在に支持されている。また、第３のシリンダ部６１２の前方には、吐水ノズルの胴体を洗浄するノズル洗浄室６１７が設けられている。ノズル洗浄室６１７は、例えば、上方と左右から吐水ノズルを取り囲み、下方は開放された構造体とすることができる。  
この吐水ノズルは、図１０（ａ）に表したように後退した状態においては、本体部４００の中に収容され、図１０（ｂ）に表したように進出した状態においては、ノズルダンパー４６０（図２、図３及び図９参照）を開いてボウル８１０の中に進出する。そして、吐水ノズルがこのように進出・後退する際に、ノズル洗浄室６１７において水を噴射させ、吐水ノズルの胴体を洗浄する。この際に、排水が生ずる。この排水は、ケースプレート７７０に設けられた排水部７７１からボウル８１０に向けて排出される。
【００３１】
図１１は、ノズル洗浄室６１７の変型例を前方から眺めた模式図である。  
また、図１２は、本変型例のノズル洗浄室５００を斜め上方から眺めた模式図である。
【００３２】
本変型例のノズル洗浄室６１７は、下方が開口されている点では、図３、図４、図５及び図１０に表したものと同一であるが、前面において洗浄ノズルの全周を取り囲んでいる点で、図３、図４、図５及び図１０に表したものとは異なる。またさらに、ノズル洗浄室６１７の先端付近において、その左右両側に支持体６１８が設けられている。
【００３３】
図１３は、支持体６１８を２方向から眺めた斜視図である。  
これら支持体６１８は、ノズル洗浄室６１７の両側に、例えはスナップフィットにより取り付けることができる。そして、これら支持体６１８は、洗浄ノズルが伸展した状態において第２のシリンダ部６１３を両側から支持し、左右方向のブレを防止する作用を有する。また例えば、ノズルヘッド６１５から脈動水を吐水させる場合などは、洗浄ノズルが振動することがある。このような場合に、支持体６１８をゴムなどの弾性体により形成すると、振動を吸収し、防振効果が得られる。
【００３４】
一方、本具体例においても、ノズル基部６１１から前方に延出させた防止壁７７６が設けられている。前述したように、防止壁７７６は、ノズル洗浄室６１７の下方の開口の後方を塞ぎ、ノズル洗浄室６１７の中で吐水した洗浄水が本体部４００の内部後方に飛散するのを防止する役割を有する。また、ノズル洗浄室６１７の前方から小水などが侵入した場合となども、防止壁７７６を設けることにより、これら小水などが本体部４００の内部後方に侵入することを防止できる。
【００３５】
次に、図３〜図８を参照しつつ、本実施形態の衛生洗浄装置に設けられている排水部７７１の構造について説明する。  
排水部７７１は、前述したように、ボウル８１０に向けて下方に傾斜した排水流路７７２と集水部７７３とからなる集水構造を有する。排水流路７７２は、下方に向けて比較的緩やかに傾斜した緩傾斜部７７２Ａと、緩傾斜部７７２Ａの下流側に設けられ下方に向けて比較的大きく傾斜した急傾斜部７７２Ｂと、を有する。緩傾斜部７７２Ａは、ノズル洗浄室６１７のほぼ下方に位置し、図７に表したように左右方向に湾曲した凹面とされている。ノズル洗浄室６１７から緩傾斜部７７２Ａに落下し、急傾斜部７７２Ｂを流れた水は、流路端（排出口）７７２Ｃからボウル８１０に向けて放出される。なお、図３などから分かるように、排水部７７１の後方に設けられた防止壁７７５から緩傾斜部７７２Ａまでのケースプレート７７０の表面も、同様に前方に向けて下方に傾斜している。従って、防止壁７７５により遮蔽された小水などは、この傾斜面を流下して緩傾斜部７７２Ａに流入する。  
一方、集水部７７３は、排水流路７７２の両側に設けられた一対の堰を有する。そして、その堰は、流路端（排出口）７７２Ｃに向けて流路幅を収束させる収束部（防止壁）７７３Ａと、収束部（防止壁）７７３Ａの下流側に設けられ収束部７７３Ａから流路端（排出口）７７２Ｃに向けて水流を導く整流部７７３Ｂと、を有する。収束部（防止壁）７７３Ａにおいては流路の幅の変化は相対的に大きく、整流部７７３Ｂにおいては流路の幅の変化は相対的に小さい。
【００３６】
吐水ノズルの洗浄に際してノズル洗浄室６１７から排出された排水などは、まず、排水流路７７２の緩傾斜部７７２Ａに落下して下方に向けて流れ、この際に集水部７７３の収束部（防止壁）７７３Ａにおいてその流路が狭められ、流速が徐々に上昇する。そして、水流が急傾斜部７７２Ｂに進むとさらに加速され流速が上昇する。このようにして収束され加速された水流は、集水部７７３の整流部７７３Ｂにおいてさらに加速されるとともにその流れの乱れが抑制され整流される。
【００３７】
図１４は、整流部７７３Ｂの作用を説明するための模式図である。  
図１４（ｂ）に表したように、集水部７７３に収束部（防止壁）７７３Ａのみを設け整流部７７３Ｂを設けない場合、収束部（防止壁）７７３Ａにおいて収束された水流は、流路端（排出口）７７２Ｃから放出された後に再び発散する傾向が強くなる。これに対して、図１４（ａ）に表したように整流部７７３Ｂを設けると、収束部（防止壁）７７３Ａにおいて収束された水流の流れ成分が一方向に揃えられ、流路端（排出口）７７２Ｃから整流された収束水流を放出させることができる。
【００３８】
図１５は、流路端（排出口）７７２Ｃから排出される水流を表す模式図である。  
本実施形態によれば、流路端（排出口）７７２Ｃから放出される水流は、収束され加速され且つ整流されているので、その殆どがボウルに向けて高い排出速度で放出される。その結果として、放出される水が流路端（排出口）７７２Ｃからケースプレート７７０の前端を滴下し裏面に回り込むことを効果的に抑制できる。
【００３９】
なお、本実施形態における集水部７７３は、図１６及び図１７に例示したように、上方まで一体的な壁面を有する部材として形成してもよい。すなわち、図３乃至図１４を参照しつつ前述した具体例の場合には、整流部７７３Ｂの上部の水流と接触しない部分が削除されて中空部７７３Ｃとされ、壁状の収束部７７３Ａが形成されている。このようにすれば、前述したように、外部から侵入する小水などを壁状の収束部７７３Ａで遮蔽し中空部７７３Ｃから排水流路７７２に流下させることができる。
【００４０】
これに対して、図１６及び図１７に例示した変型例の場合には、中空部７７３Ｃを設けず、整流部７７３Ｂの上方も一体的な壁面が形成されている。このようにしても、外部から侵入する小水などに対する遮蔽効果は得られる。また仮に、外部から侵入した小水などが、集水部７７３の壁面に当たって後方に跳ねたとしても、防止壁７７４あるいはノズル洗浄室６１７の外壁がこれを遮蔽し、排水部７７１に滴下させてボウル８１０に排出させることができる。また、整流部７７３Ｂを流れる水流が多い場合には、このように整流部７７３Ｂの上方にも一体的な壁面を形成することにより、大流量の水が流れた場合にも、整流作用をより確実に得ることができる。  
以上、本実施形態における排水部７７１の構造及びその作用について説明した。
【００４１】
次に、本実施形態のトイレ装置の内部構造について具体例を参照しつつさらに詳細に説明する。  
図１８は、本体部４００の内部を前方から眺めた斜視図である。  
本体部４００は、筐体を構成するケースカバー４３０とケースプレート７７０とを有する。ケースカバー４３０の上面には、人体検知センサ５００や表示部６７０が適宜設けられている。表示部６７０は、例えばトイレ装置に対する電源の投入状態などを適宜表示する役割を有する。また、ケースカバー４３０の前部の上部には、便座２００を自動開閉させるための電動開閉ユニット７８０が突出して設けられている。
【００４２】
一方、ケースカバー４３０の内部をみると、その前方には、ノズルユニット６１０、温風乾燥ユニット６２０、脱臭ユニット６３０、が併設されている。ノズルユニット６１０は、図１０に関して前述したように、進退自在の吐水ノズルを有し、便座２００に座った使用者の「おしり」などに水を噴射して洗浄する役割を有する。温風乾燥ユニット６２０は、便座２００に座った使用者の「おしり」などに温風をあてて乾燥させる役割を有する。脱臭ユニット６３０は、便器８００のボウル８１０内の空気を吸引し、脱臭して排気口４４０から排出する役割を有する。
【００４３】
また、ケースカバー４３０の内部の前部上方にはＡＣ（交流）コントローラ６４０が設けられ、その後部には、ポンプユニット６５０と熱交換ユニット６６０が設けられている。熱交換ユニット６６０に供給された水が加熱され、ポンプユニット６５０で水に脈動を付与し、ノズルユニット６１０にこの脈動水を供給する。
【００４４】
また、ケースカバー４３０の側面には、補助操作ユニット（図示せず）が適宜設けられている。補助操作ユニットは、ノズルユニット６１０による「おしり」の洗浄などを操作するスイッチが設けられ、例えば、リモコン（図示せず）による操作が不可能な状態においても衛生洗浄機能の動作を制御可能としたものである。
【００４５】
一方、ケースカバー４３０の内部の後部には、電動開閉ユニット７２０と便器洗浄バルブユニット７３０とが併設されている。電動開閉ユニット７２０は、便蓋３００を開閉する役割を有する。便器洗浄バルブユニット７３０は、便器８００に流す洗浄水の供給を制御する役割を有する。すなわち、本具体例のトイレ装置は、いわゆる「水道直結給水式」の構造を有し、ロータンクなどを設けずに、水道から供給される水を便器洗浄バルブユニット７３０を介して便器８００に供給して洗浄を実施する。ただし、本発明はこれには限定されず、ロータンク式のトイレに取付可能な衛生洗浄装置も包含する。
【００４６】
一方、ケースカバー４３０の内部の最後部には、室内暖房ユニット７４０が設けられている。室内暖房ユニット７４０は、温風を排出口４５０（図１参照）から排出することによりトイレ装置が設置されたトイレ空間を暖房する役割を有する。
【００４７】
以上説明したように、本体部４００には各種の機構が設けられ、また、ボウル８１０の開口形状にあわせて湾曲凹面を形成するために、本体部４００の中には高い密度で機構部や電気素子などが収容されている。従って、外部からの小水などの侵入は可及的に阻止する必要がある。また、一方で、ノズルダンパー４６０を閉じた状態でノズル洗浄などの際に生ずる排水をボウル８１０に確実に排出する必要がある。
【００４８】
本実施形態によれば、排水部７７１を設けることにより、機内で生ずる排水を確実にボウル８１０に排出可能とし、さらに、 防止壁（収束部）７７３Ａ、防止壁７７４、７７５、７７６を設けることにより、仮に排水部７７１に小水などが侵入した場合でも、これを確実に遮蔽して機内への侵入を防止できる。またさらに、防止壁７７４、７７５、７７６を設けることにより、ノズル洗浄室６１７において吐水ノズルの洗浄を行う際にも、ノズル洗浄室６１７から飛散した水の機内への飛散を防止できる。
【００４９】
次に、本実施形態において、本体部４００の前面を後方に後退させて湾曲凹面４０２とした効果について説明する。  
図１９は、本実施形態のトイレ装置から便座２００と便蓋３００を外して前方から眺めた斜視図である。  
また、図２０は、比較例のトイレ装置を前方から眺めた斜視図である。なお、図１９及び図２０は、便器８００の前にしゃがんだ状態で便器を清掃する使用者の目線からみたボウル８１０の眺めを表し、具体的には、便器８００の前端からおよそ１００ミリメータ離れ、床面から約１０００ミリメータの高さから眺めたボウル８１０の外観を表す。
【００５０】
また、図２１は、本実施形態のトイレ装置の断面図であり、
図２２は、比較例のトイレ装置の断面図である。図２１及び図２２は、便器８００の前にしゃがんだ状態で便器を清掃する使用者の目線からみえる範囲を説明するための模式図である。
【００５１】
まず比較例について説明すると、図２０及び図２２に表した比較例においては、本体部４００は便器８００のボウル８１０の上に延出し、破線で表した領域４００Ｐがボウル８１０の開口の後方部分を塞いでいる。しかし、このように本体部４００がボウル８１０の上にはみだしていると、男性の立位の小用の際に小水が本体部４００にかかりやすくなる。また、このように本体部４００がボウル８１０の上にはみだしていると、ボウル８１０の有効開口面積が狭められるため、立位で小用をする男性に対して狭窄感を与える。また、このようにはみだした領域４００Ｐの裏面側にも汚れが付着しやすく、その清掃性の点でも改善の余地がある。
【００５２】
さらには、このように本体部４００がボウル８１０の上にはみだしていると、ボウル８１０の後方上部に汚れが付着しても見えず、且つ、その部位の清掃がしにくくかった。すなわち、図２２に表した比較例の場合、使用者が便器８００の前にしゃがんだ状態においても、ボウル８１０の上端のリム部８２０は、本体部のはみ出し領域４００Ｐの陰に隠れて見えない。このため、使用者が領域４００Ｐの下のリム部８２０を掃除するためには、さらにかがんだ姿勢で覗き込むようにしなければならない。
【００５３】
これに対して、本実施形態においては、図１９及び図２１に表したように、本体部４００の前面を後退させて湾曲凹面４０２を形成することにより、男性の立位での小用の際にも小水がかかりにくくなり、使用者に対して視覚的な狭窄感を与えることもない。また、図２に関して前述したように、湾曲凹面４０２の中央付近を高くすることにより、男性の立位の小用に際して本体部４００に小水がかかったとしても、湾曲凹面４０２の中央付近の背の高い部分で小水を受けてボウル８１０に落下させることができる。つまり、小水が本体部４００の傾斜面４０８などにかかることを抑制でき、小水による汚れを可及的に減らすことができる。
【００５４】
そして、このように本体部４００を後退させることにより、本体部４００の裏面への汚れの付着も抑制でき、清掃性も格段に改善できる。すなわち、本実施形態によれば、図２１に表したように、便器８００の前にしゃがんだ使用者の視線からみて、ボウル８１０の後端のリム部８２０の上端付近まで見える。従って、使用者は、その姿勢のまま雑巾やブラシなどを用いてボウル８１０の後端まで清掃し、汚れが落ちてきれいになったことを確実且つ容易に確認できる。また、本実施形態においては、本体部４００のボウル８１０の上への突出量が抑制されているので、その突出部の裏側に付着した汚れなどを清掃することも容易である。例えば、雑巾などで清掃する際にも、使用者が本体部４００の裏側に雑巾をあてがった状態で、左右にサッと拭き取ることができる。
【００５５】
図２３は、本実施形態における湾曲凹面４０２とボウル８１０との関係を説明するための模式平面図である。  
同図に表したように、本体部の湾曲凹面４０２は、ボウル８１０の開口形状にほぼ沿った形態を保ちつつ、湾曲凹面４０２のほぼ全体がボウル８１０の開口端よりもボウル８１０の側にわずかに突出している。湾曲凹面４０２の左右前端でのボウル８１０への突出量をａ、ｂとし、中央付近でのボウル８１０への突出量をｃとすると、ａ及びｂは相対的に小さく、ｃは相対的に大きくすることができる。このようにすれば、ボウル８１０の開口形状と略連続させてボウル８１０のほとんどを露出させつつ、本体部４００とボウル８１０の開口端との隙間への小水などの侵入を効果的に防止できる。これは、男性の立位の小用の際には、小水は主に中央付近に向けられるからであり、さらに本体部４００とボウル８１０の開口端との隙間が湾曲凹面４０２で覆われるため、その隙間に小水が直接かからないからである。また、このようにすると、排水及び脱臭のためのスペース（突出部）を確保することも容易となる。
【００５６】
具体的には、例えば、ａ及びｂは概ね数ミリメータ乃至１０ミリメータ程度で、ｃは概ね１０ミリメータ乃至１０数ミリメータ程度とすることができる。このように湾曲凹面４０２をわずかに突出させれば、小水の侵入を可及的に抑制できる。またさらに、本体部４００からボウル８１０への排水を確保し、さらに脱臭機能のための脱臭吸気口を確保することもできる。
【００５７】
また、本体部４００のボウル８１０への突出部の突出量をこのように制限することにより、例えば使用者の手指の先端から第１関節までの範囲で、雑巾を本体部４００の裏側にまんべんなくあてがうことも可能となる。つまり、使用者は、手指の第１関節を軽く曲げた状態のまま、手指の先端に雑巾をあてがって、本体部４００の湾曲凹面４０２に沿って左右に雑巾をサッと滑らすことにより、本体部４００の裏側と、これに隣接するリム部８２０の上端部を確実に清掃することが可能となる。湾曲凹面４０２はボウル８１０と略連続した曲面を構成しているので、雑巾がひっかかることもなく、スムーズ且つ確実に清掃できる。
【００５８】
そして、本実施形態によれば、このように本体部４００の前面を後退させて湾曲凹面４０２を形成し、図３〜図１７に関して前述したような排水部７７１を設けることにより、機内で発生した排水をボウル８１０に排出でき、さらに、防止壁（収束部）７７３Ａ、防止壁７７４、７７５、７７６を設けることにより、仮に排水部７７１に小水などが侵入した場合でも、これを確実に遮蔽して機内への侵入を防止できる。
【００５９】
以上、具体例を参照しつつ、本発明の実施の形態について説明した。しかし、本発明は、これらの具体例に限定されるものではない。例えば、本発明の衛生洗浄装置及びトイレ装置に含まれる、吐水ノズル、脱臭装置、温風乾燥装置、着座センサ、筺体、リモコン、腰掛便器などの各要素については、当業者が適宜設計変更することにより本発明を同様に実施し、同様の効果を得ることができるものも本発明の要旨を含む限り、本発明の範囲に包含される。その他、衛生洗浄装置や便器を構成する各要素について変更を加えたものであっても、本発明の要旨を備える限りにおいて、本発明の範囲に包含される。
【００６０】
また、本発明のトイレ装置は、「ロータンク式」のものでもよく、または、水道からの水を便器に直接給水し洗浄する「水道直結給水式」のものでもよい。  
また、図１乃至図２３に関して前述した特徴部分は、技術的な可能な範囲においていかようにも組合せることができ、これら組合せにより得られた衛生洗浄装置及びトイレ装置についても、本発明の要旨を含む限りにおいて本発明の範囲に包含される。
【００６１】
その他、本発明の実施の形態として上述した衛生洗浄装置及びトイレ装置を基にして、当業者が適宜設計変更して実施しうるすべての衛生洗浄装置及びトイレ装置も同様に本発明の範囲に属する。
【図面の簡単な説明】
【００６２】
【図１】本発明の実施の形態にかかるトイレ装置の外観を表す模式斜視図である。
【図２】トイレ装置の便座２００と便蓋３００を開いた状態を表す。
【図３】本具体例の衛生洗浄装置の本体部４００の断面構造を表す一部拡大断面図である。
【図４】ケースプレート７７０の防止壁７７５とノズル洗浄室に設けられた防止壁７７６を例示する模式斜視図である。
【図５】ケースプレート７７０の防止壁７７４とノズル洗浄室に設けられた防止壁７７６を例示する模式正面図である。
【図６】防止壁７７４と吐水ノズルとの関係を例示する模式斜視図である。
【図７】ケースプレート７７０に設けられた防止壁７７４、７７５を表す模式斜視図である。
【図８】ケースプレート７７０に設けられた防止壁７７４、７７５をさらに拡大して上方から眺めた模式平面図である。
【図９】本体部４００を正面から眺めた模式図である。
【図１０】ノズルユニット６１０の動作を例示する模式図である。
【図１１】ノズル洗浄室６１７の変型例を前方から眺めた模式図である。
【図１２】本変型例のノズル洗浄室５００を斜め上方から眺めた模式図である。
【図１３】支持体６１８の斜視図である。
【図１４】整流部７７３Ｂの作用を説明するための模式図である。
【図１５】流路端（排出口）７７２Ｃから排出される水流を表す模式図である。
【図１６】集水部７７３の変型例を表す模式図である。
【図１７】集水部７７３の変型例を表す模式図である。
【図１８】本体部４００の内部を前方から眺めた斜視図である。
【図１９】本実施形態のトイレ装置から便座２００と便蓋３００を外して前方から眺めた斜視図である。
【図２０】比較例のトイレ装置を前方から眺めた斜視図である。
【図２１】本実施形態のトイレ装置の断面図である。
【図２２】比較例のトイレ装置の断面図である。
【図２３】本実施形態における湾曲凹面４０２とボウル８１０との関係を説明するための模式平面図である。
【符号の説明】
【００６３】
１００ 衛生洗浄装置、２００ 便座、３００ 便蓋、３１０ 透過窓、４００ 本体部、４０２ 湾曲凹面、４０４ 延出部、４０８ 傾斜面、４１０ 凹設部、４２０ 着座センサ、４３０ ケースカバー、４４０ 排気口、４５０ 排出口、４６０ ノズルダンパー、４７０ 温風ダンパー、５００ 人体検知センサ、６１０ ノズルユニット、６１１ ノズル基部、６１２、６１３、６１４ シリンダ部、６１５ ノズルヘッド、６１６ 噴射孔、６１７ ノズル洗浄室、６１８  支持体、６２０ 温風乾燥ユニット、６３０ 脱臭ユニット、６４０ コントローラ、６５０ ポンプユニット、６６０ 熱交換ユニット、６６７ 防止壁、６７０ 表示部、７２０ 電動開閉ユニット、７３０ 便器洗浄バルブユニット、７４０ 室内暖房ユニット、７７０ ケースプレート、７７１ 排水部、７７２ 排水流路、７７２Ａ 緩傾斜部、７７２Ｂ 急傾斜部、７７２Ｃ 流路端（排出口）、７７３ 集水部、７７３Ａ 防止壁（収束部）、７７３Ｂ 整流部、７７３Ｃ 中空部、７７４、７７５、７７６ 防止壁、７８０ 電動開閉ユニット、７９２Ａ 前面、８００ 便器、８１０ ボウル、８２０ リム部、
【図１】
2007315110.tif 000003
【図２】
2007315110.tif 000004
【図３】
2007315110.tif 000005
【図４】
2007315110.tif 000006
【図５】
2007315110.tif 000007
【図６】
2007315110.tif 000008
【図７】
2007315110.tif 000009
【図８】
2007315110.tif 000010
【図９】
2007315110.tif 000011
【図１０】
2007315110.tif 000012
【図１１】
2007315110.tif 000013
【図１２】
2007315110.tif 000014
【図１３】
2007315110.tif 000015
【図１４】
2007315110.tif 000016
【図１５】
2007315110.tif 000017
【図１６】
2007315110.tif 000018
【図１７】
2007315110.tif 000019
【図１８】
2007315110.tif 000020
【図１９】
2007315110.tif 000021
【図２０】
2007315110.tif 000022
【図２１】
2007315110.tif 000023
【図２２】
2007315110.tif 000024
【図２３】
2007315110.tif 000025